(57)【要約】      （修正有）【課題】充填用容器に充填物を充填する際、装置が全体として複雑ではなく、複雑な装置に伴う追加的な清掃、保守が必要でない充填方法。【解決手段】充填用容器１００を充填パイプ２に圧密的に接続するステップと、前記充填用容器１００内の初期圧（ＰＩＮＩ）を特定するステップと、前記充填物で前記充填用容器１００を充填するステップと、前記充填用容器１００内が所定のカットオフ圧（ＰＣＵＴ）に達すると、前記充填用容器１００の充填を終了するステップとを備える。【選択図】図４
2015199545.tif 000002
【特許請求の範囲】
【請求項１】
充填用容器（１００）を充填物で充填する方法であって、
前記充填用容器（１００）を充填パイプ（２）に圧密的に接続するステップと、
前記充填用容器（１００）内の初期圧（ＰＩＮＩ）を特定するステップと、
前記充填物で前記充填用容器（１００）を充填するステップと、
前記充填用容器（１００）内が所定のカットオフ圧（ＰＣＵＴ）に達すると、前記充填用容器（１００）の充填を終了するステップと、
を備えている、方法。
【請求項２】
前記充填物が充填される前に、好ましくは絶対圧０．５バールから０．０５バールの範囲になるまで、より好ましくは絶対圧０．３バールから０．１バールの範囲になるまで、さらに好ましくは絶対圧０．１バールになるまで、前記充填用容器（１００）が排気されることを特徴とする、
請求項１に記載の方法。
【請求項３】
前記充填用容器（１００）に充填される前記充填物は、絶対圧１バールから９バールの範囲、好ましくは絶対圧２．５バールから６バールの範囲、より好ましくは絶対圧２．８バールから３．３バールの範囲とされることを特徴とする、
請求項１または２に記載の方法。
【請求項４】
前記カットオフ圧（ＰＣＵＴ）は、測定された前記初期圧（ＰＩＮＩ）に基づき、所望の充填量、前記充填用容器（１００）の内部空間（１１２）の容積、および前記充填パイプ（２）が寄与する容積を考慮して特定されることを特徴とする、
請求項１から３のいずれか一項に記載の方法。
【請求項５】
前記充填物は、前記カットオフ圧（ＰＣＵＴ）で供給され、好ましくは充填物供給部（５）内における当該充填物の正圧および当該充填物の静水圧を考慮することを特徴とする、
請求項１から４のいずれか一項に記載の方法。
【請求項６】
前記充填用容器（１００）内の前記初期圧（ＰＩＮＩ）は、前記カットオフ圧（ＰＣＵＴ）に応じて調節されることを特徴とする、
請求項５に記載の方法。
【請求項７】
前記充填用容器（１００）に前記充填物を充填している間、当該充填物は、前記カットオフ圧（ＰＣＵＴ）よりも高い圧力とされることを特徴とする、
請求項１から６のいずれか一項に記載の方法。
【請求項８】
前記充填用容器（１００）内の圧力変化が測定され、前記カットオフ圧（ＰＣＵＴ）に達すると充填が終了されることを特徴とする、
請求項１から７のいずれか一項に記載の方法。
【請求項９】
前記充填用容器（１００）内の圧力変化が測定され、圧力上昇と圧力の時間微分値（ｄＰ／ｄｔ）の少なくとも一方が所定値に達すると充填が終了され、好ましくは充填バルブ（５０）が閉じられることを特徴とする、
請求項１から８のいずれか一項に記載の方法。
【請求項１０】
充填用容器（１００）を充填物で充填する装置（１）であって、
充填バルブ（５０）を介して充填物供給部（５）と連通可能であり、前記充填用容器（１００）と圧密的に接続するための充填パイプ（２）と、
前記充填用容器（１００）内の初期圧（ＰＩＮＩ）を特定するための圧力計（４）と、
前記初期圧（ＰＩＮＩ）が特定された後に前記充填バルブ（５０）を開き、前記充填用容器（１００）内が所定のカットオフ圧（ＰＣＵＴ）に達すると前記充填バルブ（５０）を閉じるように構成された制御装置と、
を備えている、装置。
【請求項１１】
複数の充填パイプ（２）が設けられており、当該複数の充填パイプ（２）の各々が前記圧力計（４）を備えていることを特徴とする、
請求項１０に記載の装置。
【発明の詳細な説明】
【技術分野】
【０００１】
本発明は、充填用容器に充填物を充填する（特に飲料充填設備において容器に飲料を充填する）方法および装置に関する。
【背景技術】
【０００２】
飲料充填設備においては、充填エレメントによって容器に充填物を充填することが知られている。この場合、各充填要素は、充填用容器に接続されうる充填パイプを備えている。当該充填パイプには、当該容器に充填物を送り込むために、充填バルブを介して充填物が装填されうる。当該充填バルブを開閉することにより、充填用容器への充填物の流れが制御される。これにより、当該容器に導入される充填物の量が規制される。
【０００３】
特に容器に炭酸を含む充填物（例えば、ビール、ミネラルウォーター、ソフトドリンクのような炭酸飲料）が充填される場合、充填パイプは、充填用容器に対して圧密的に接続される。充填用容器に炭酸を含む充填物が充填される前に、当該充填用容器は、過剰圧になるように、加圧ガスで予圧される。予圧がなされると、充填物による容器の充填が行なわれる。加圧ガスとしては、例えば二酸化炭素が使用される。したがって、二酸化炭素が結合した炭酸入り充填物は、充填用容器内の二酸化炭素圧が高められた状態で充填される。これにより、充填物からの二酸化炭素の放出が抑制あるいは完全に防止されうる。このようにして、充填用容器内の充填物の発泡を抑制あるいは防止でき、充填工程が全体として短縮される。この方法は、カウンタープレッシャー充填法としても知られている。
【０００４】
充填バルブの閉塞は、所定量の充填物を計量可能な流量メータにより制御されうる。充填物が所定量に達すると、充填エレメントが閉塞されうる。
【０００５】
充填用容器に導入される充填物を投入室へ予備投入することも知られている。通常、投入室は、較正された体積を有している。投入室に収容された充填物は、すべて充填用容器へ排出され、当該充填用容器を充填する。投入室から全ての充填物が流出すると、充填バルブが閉塞される。
【０００６】
所定の充填量で充填用容器を充填する上述の方法に加え、所定の充填高さまで充填用容器を充填する方法も知られている。これを遂行するための様々な手法が知られている。例えば、高さプローブを充填用容器に挿入することが知られている。この高さプローブは、充填物が所定の高さに達すると、例えば電気回路を通じて充填バルブを閉じる。
【０００７】
いわゆる真空充填法も知られている。当該方法においては、予め真空排気された充填用容器に炭酸を含まない流体が導入される。充填物で満たされた容器内に吸引チューブを差し込み、当該吸引チューブに負圧を印加することによって、当該吸引チューブの下端により定まる所望の充填高さに達するまで、充填物を容器から引き出すことにより、充填高さの正確な調節が行なわれる。この場合、吸引チューブは、負圧が印加された充填物リザーバ中の充填物と連通しており、吸引による流体の急速抜き取りを可能にしている。また、充填物が滴ることなく吸引チューブ内に保持されることを可能にしている。そのような真空充填の例は、特許文献１と２に記載されている。
【０００８】
これらの真空充填装置と真空充填方法は、炭酸飲料の充填には用いられていない。負圧や真空の適用は、当該炭酸飲料内の二酸化炭素を直ちに放出してしまうからである。結果として、充填工程において発泡が生じやすくなり、充填時間が長くなる。したがって、上記の先行技術においては、炭酸飲料の充填を真空充填法の対象外としている。
【０００９】
充填重量の判断によって充填用容器の充填を制御することも知られている。この場合、充填用容器は秤量セルと結合される。秤量セルは、充填用容器に導入された充填物の重量を測定する。所定の充填重量に達すると、充填バルブが閉じられる。充填物の密度が既知であれば、当該充填重量から充填されている量も推定されうる。この場合、所定の充填量に達すると、充填バルブが閉じられる。
【００１０】
これまで説明した充填用容器を充填する方法は、流量計、ドージングチャンバ、高さプローブ、戻り空気チューブ、秤量セルなどの追加コンポーネントを必要とする。この場合、装置が全体として複雑となり、追加的な清掃や保守が必要になる。
【先行技術文献】
【特許文献】
【００１１】
【特許文献１】独国実用新案第８３０８６１８Ｕ１号公報
【特許文献２】独国実用新案第８３０８８０６Ｕ１号公報
【発明の概要】
【発明が解決しようとする課題】
【００１２】
上記に鑑み、本発明は、充填の終了を判断する別手法を提供するための、充填用容器を充填物で充填する方法および装置を提供することを目的とする。
【課題を解決するための手段】
【００１３】
この目的は、請求項１に記載の特徴を有する方法により達成される。さらなる有利な構成は、従属請求項に記載の特徴により得られる。
【００１４】
ここに提案される方法は、充填用容器を充填物で充填する方法であって、
前記充填用容器を充填パイプに圧密的に接続するステップと、
前記充填用容器内の初期圧を特定するステップと、
前記充填物で前記充填用容器を充填するステップと、
前記充填用容器内が所定のカットオフ圧に達すると、前記充填用容器の充填を終了するステップと、
を備えている。
【００１５】
充填用容器の充填は、充填用容器内が所定のカットオフ圧に達すると終了される。そのため、良好な充填正確性が達成されうる。この場合における充填正確性は、充填物の流量および充填時間に依存しない。開始時において初期圧のみが考慮されるからである。充填正確性は、充填される量にも依存しない。本方法は、特に０．２Ｌから０．５Ｌといった少量の充填物を容器に充填する場合にも適用できる。また、本方法によれば、充填用容器への充填物の充填が突発的になされる場合でも、所望の充填量に達した際に確実に充填を終了できる。
【００１６】
本方法を遂行するにあたっては、充填用容器内の圧力を特定することのみが必要である。そのため、装置の構成を簡略化できる。好適な実施形態においては、例えば、中央圧力計が設けられてもよいし、飲料充填設備における各充填エレメント（ロータリフィラーなど）ごとに圧力計が設けられてもよい。
【００１７】
充填物の充填前に充填用容器が排気される場合、あるいは充填物供給部内の充填物に対して充填用容器内が負圧とされる場合、充填バルブが開かれると直ちに充填物が充填用容器内へ突発的に放出される。これにより、充填中に充填用容器の圧力が上昇する。
【００１８】
例えば、絶対圧０．５バールから０．０５バールの範囲になるまで、好ましくは絶対圧０．３バールから０．１バールの範囲になるまで、より好ましくは絶対圧０．１バールになるまで、充填物の充填前に充填用容器が排気されると、まず充填物は、大気圧（絶対圧１バール）に致るまで、残存気体に占められていないスペースに充填される。
【００１９】
充填用容器内の初期圧と充填用容器の容積が既知であるため、大気圧に至るまでに当該充填用容器内に導入される充填物の量は、当該情報から容易に特定できる。このようにして、容器への充填量は、当該容器内の初期圧のみに基づいて特定されうる。充填物が大気圧で供給される場合、充填用容器の初期圧から直接的かつ容易に充填量が推定されるため、充填量の特定が特に容易になる。充填量は、充填用容器の初期圧の変化によって変わりうる。
【００２０】
例えば、全容量の５％がヘッドスペースとして必要である場合、充填用容器を０．０５バールまで排気し、次いで大気圧になるまで充填物を充填すれば、当該結果が正確に達成されうる。カットオフ圧は大気圧であり、充填物供給部と容器の間で平衡状態が形成される。しかしながら、この計算は、充填パイプの容量を考慮していない。より正確な充填量の特定のためには、これを考慮する必要がある。
【００２１】
このようにして得られた充填量が所望の充填量に至っていない場合、既知である充填用容器の初期圧に基づき、カットオフ圧を特定できる。カットオフ圧は、残存気体を圧縮しつつ所望の追加量を容器に導入するために、さらに上昇させることを要する圧力である。
【００２２】
平衡状態に達するために充填物がカットオフ圧で供給される場合、カットオフ圧に達すると、充填物の圧力を経時的に変化させる必要がある。充填物が容器に加える圧力は、充填物が供給される際の圧力のみならず、充填物の静水圧（すなわち、容器に加わる流体柱の圧力）にも依存するからである。しかしながら、特に充填物供給部が充填物リザーバ（リングボウル、セントラルべセルなど）を介する場合、この流体柱は変化しうる。
【００２３】
カットオフ圧は、測定された初期圧に基づき、所望の充填量、充填用容器の内部空間の容積、および前記充填パイプが寄与する容積を考慮して特定されることが好ましい。
【００２４】
充填用容器に充填される充填物は、絶対圧１バールから９バールの範囲、好ましくは絶対圧２．５バールから６バールの範囲、より好ましくは絶対圧２．８バールから３．３バールの範囲とされて供給されることが好ましい。これにより、充填物と充填用容器内の初期圧の間の圧力勾配が、充填用容器への充填物の充填を迅速に（より好ましくは突発的に）する。
【００２５】
充填用容器内の初期圧は、カットオフ圧に応じて調節されることが特に好ましい。これにより、所望の充填量が達成されうる。換言すると、充填物の圧力がカットオフ圧になるように変化すると、容器内の排気状態の変化により、所望量の充填物が充填されうる。
【００２６】
さらに好適な実施形態においては、充填用容器に充填物を充填している間、当該充填物は、カットオフ圧よりも高い圧力とされる。よって、所望の充填量に達しても、充填物の流れは容器内の圧力が平衡状態に達することによっては静止せず、積極的に終了させることを要する。したがって、充填工程は、所定のカットオフ圧に達すると、例えばバルブを閉じることによって、積極的に終了される。
【００２７】
さらに好適な実施形態においては、充填用容器内の圧力変化が測定され、圧力上昇と圧力の時間微分値の少なくとも一方が所定値に達すると充填が終了され、好ましくは充填バルブが閉じられる。よって、例えば圧力が非常にゆっくりと上昇し、充填工程がもはや効率的に遂行できない場合に、充填を終了できる。圧力上昇は、初期圧と所望の充填量に基づいて特定され、所定のカットオフ圧に対応する。
【００２８】
また、上記の目的は、請求項１０に記載の特徴を有する装置によって達成される。この場合においても、さらなる有利な構成は、従属請求項に記載の特徴により得られる。
【００２９】
本装置は、充填用容器を充填物で充填する装置であって、
充填バルブを介して充填物供給部と連通可能であり、前記充填用容器と圧密的に接続するための充填パイプと、
前記充填用容器内の初期圧を特定するための圧力計と、
前記初期圧が特定された後に前記充填バルブを開き、前記充填用容器内が所定のカットオフ圧に達すると前記充填バルブを閉じるように構成された制御装置と、
を備えている。
【００３０】
本装置は、充填用容器内の初期圧を特定する圧力計を必要とするのみであり、プラント全体の構成、特に所望量の充填物を充填用容器に充填できるようにするための部品が、大幅に単純化されうる。圧力計は、各充填エレメントの充填パイプに配置されて充填用容器の内圧および充填中の圧力が計測できるようにしてもよい。あるいは、充填前の容器と充填中の容器の圧力を特定できるように、複数の充填エレメント（好ましくは全ての充填エレメント）が単一の圧力計によって動作されうる構成としてもよい。
【００３１】
例えば、充填が行なわれる前に、充填用容器に負圧をもたらす真空装置に充填パイプを接続してもよい。この真空装置は、全ての充填エレメントを対象とする中央装置でありうる。したがって、すべての充填エレメントに負圧をもたらす真空ラインは、単一の圧力計でモニタされうる。この圧力計により測定される圧力は、各容器に提供される圧力とみなされる。
【図面の簡単な説明】
【００３２】
本発明のさらなる好適な実施形態と態様は、以下に列挙する図面と以降の記載を通じてより詳細に説明される。
【００３３】
【図１】充填用容器とともに充填用容器を充填する装置（第一状態）を示している。
【図２】図１から第二状態に至った装置を示している。
【図３】前図から第三状態に至った装置を示している。
【図４】充填工程中の充填物の流量変化と容器内圧を模式的に示す図である。
【発明を実施するための形態】
【００３４】
図面の補助を得つつ、好適な実施形態の例が以下に記載される。各図においては、同一または同様の要素、あるいは同一の効果を奏する要素は、同一の参照符号により指示される。これらの要素について繰り返しとなる説明の一部は、冗長性を避けるために省略される。
【００３５】
図１において、充填用容器１００を充填物で充填する装置１が示されている。装置１は、充填パイプ２を備えている。充填パイプ２は、把持蓋２０を有している。把持蓋２０には充填用容器１００の口１１０が圧密的に収容されうる。これにより、充填用容器１００の内部空間１１２が充填パイプ２と圧密的に接続される。
【００３６】
真空ライン３が設けられている。真空ライン３は、真空バルブ３０を介して充填パイプ２と接続されうる。結果として、真空ライン３は、充填用容器１００の内部空間１１２とも接続されうる。真空ライン３は、絶対圧０．５バールから０．０５バール（好ましくは０．３バールから０．１バール、より好ましくは０．１バール）の範囲の負圧をもたらす。結果として、絶対圧０．５バールから０．０５バール（好ましくは０．３バールから０．１バール、より好ましくは０．１バール）の対応する負圧が、充填用容器１００の内部空間１１２に形成される。
【００３７】
充填用容器１００が図１に模式的に示された状態、すなわち真空バルブ３０が開かれた状態にあるとき、初期圧ＰＩＮＩとして計測される所定の負圧がもたらされうる。計測は、例えば圧力計４（模式的に示すのみ）によってなされる。圧力計４は、充填パイプ２と連通しており、よって充填用容器１００の内部空間１１２とも連通している。これにより、圧力計４は、真空バルブ３０が閉じられた後における充填用容器１００の内部空間１１２の圧力を特定するためにも用いられうる。
【００３８】
あるいは、圧力計４は、真空ライン３または不図示の真空源（例えば真空ポンプ）自体に設けられうる。圧力計４は、まず充填用容器１００内の初期圧ＰＩＮＩを測定するためだけに機能する。圧力計４が真空ライン３または真空源に配置されている場合、真空ライン３における圧力または真空源によりもたらされる圧力は、わずかに遅れて充填用容器１００の内部空間１１２に達すると考えられる。真空ライン３または真空源に圧力計４が配置される手法によれば、充填用容器１００の内部空間１１２の圧力が確実に特定されうる。
【００３９】
図２において、充填用容器１００を充填する装置１は、本方法の第二状態にある。真空バルブ３０は閉じられ、充填バルブ５０が開かれている。これにより、充填パイプ２を介して、充填物供給部５と充填用容器１００の内部空間１１２の接続が形成される。したがって、充填物供給部５内の充填物が容器１００内に進入できる。
【００４０】
充填物供給部５内の充填物は、充填用容器１００内の初期圧ＰＩＮＩに対して正圧状態（例えば、絶対圧１バールから９バール）にあることが特に好ましい。
【００４１】
これにより、供給される充填物を大気圧に対応する正圧（例えば絶対圧１バール）にできる。よって、当該正圧は、充填用容器１００内に形成された負圧に対しても正圧とされる。結果として、供給される充填物と容器１００の間に圧力勾配が生じる。
【００４２】
また、充填物の正圧は、当該充填物の飽和圧に対応しうる。当該正圧は、絶対圧１．１バールから６バールの範囲であることが好ましい。飽和圧に対応する正圧により、炭酸入り充填物内の二酸化炭素の放出を抑制できる。
【００４３】
別例においては、充填物の正圧は、当該充填物の飽和圧よりも高い。当該正圧は、絶対圧１．６バールから９バールの範囲であることが好ましい。特に充填物の飽和圧を上回る程度に正圧を高くすることにより、充填物中の二酸化炭素を飽和状態にすることが可能であり、充填物と充填用容器１００の間の圧力勾配を大きくできる。これにより、充填工程がさらに短縮される。
【００４４】
充填用容器１００の内部空間１１２内に負圧が形成され、充填物供給部５内の充填物が正圧で供給されるため、充填用容器１００の充填は、突発的に行なわれうる。充填用容器１００内が所定のカットオフ圧ＰＣＵＴに達し、所望量の充填物が得られると、直ちに充填バルブ５０が閉じられる。
【００４５】
充填工程の完了時を判断するために、不図示の制御装置は、充填バルブ５０が開かれる前に測定された充填用容器１００内の初期圧ＰＩＮＩに基づいて演算を行なう。充填物の一部は、圧力平衡が形成されるまで、あるいは所定のカットオフ圧ＰＣＵＴに達するまで、充填用容器１００へ導入可能である。
【００４６】
換言すると、充填工程中における充填用容器１００内の圧力変化は、充填工程の開始時における充填用容器１００内の初期圧ＰＩＮＩに（すなわち、容器１００内に残存する気体に）依存する。容器１００の充填物による充填は、充填物が残存気体とスペースを共有するようになされる。したがって、容器１００の内圧は上昇する。得られる圧力曲線は、容器１００の現在の充填状態を特定する手段となりうる。例えば、未充填状態の容器１００内の初期圧ＰＩＮＩに基づいて、充填工程が終了に至る点も特定されうる。
【００４７】
例えば、充填用容器１００が５００ｍＬの呼び容積を有し、容器のヘッドスペースが２０ｍＬであり、バルブ３０、５０、６０より下方の充填パイプ２内の空間が５ｍＬである場合、全容積は５２５ｍＬとなる。真空バルブ３０が開かれると、まずこの値が求められる。
【００４８】
図２に示されるように、真空バルブ３０が閉じられて充填バルブ５０が開かれると、５２５ｍＬの全容積が、充填物供給部５からの充填物により満たされる。本例においては、充填物供給部５内の充填物に対して充填用容器１００内が負圧であるため、充填物は充填用容器１００内に放出される。この充填物が炭酸入りである場合、圧力差に起因して発泡が生じやすい。充填物内の泡は、充填パイプ２、ヘッドスペースＨ、および容器の内部空間１１２を含む全容積にわたって生ずる。
【００４９】
例えば０．１バールの絶対圧この全容積が求められると、充填前の充填用容器１００内に存在していた体積５２．５ｍＬの残存気体が残る。充填用容器１００の前処理に応じて、残存気体は、二酸化炭素、他の不活性ガス、空気、あるいは他の混合気体である。
【００５０】
したがって、充填物供給部５を通じて、充填量４７２．５ｍＬの充填物が、常圧（すなわち大気圧）に達するまで充填用容器１００に供給されうる。
【００５１】
例えば５１０ｍＬの呼び容量に到達するために、充填物は充填物供給部５を通じて充填用容器１００に流入し続けることを要する。そして当該充填物は、残存気体を圧縮し、大気圧下で５２．５ｍＬの体積を置き換える。これにより、所望の呼び容量である５１０ｍＬに到達するために、３７．５ｍＬの不足充填量が圧力により押し込まれうる。
【００５２】
したがって、残存気体の適度な圧縮を可能にするために、充填物は、少なくとも１．４バールの絶対圧充填物供給部５を通じて充填されることを要する。充填物供給部５内の充填物がこの圧力であれば、充填物供給部５、充填パイプ２、充填用容器１００の内部空間１１２の間で圧力平衡が得られる。これにより、１．４バールの絶対圧充填用容器１００への総充填量が５１０ｍＬとなる。
【００５３】
充填用容器１００を充填物で充填する前に充填用容器１００の内圧を特定することにより、充填用容器１００を充填物で充填する装置１は、容器１００内が所定のカットオフ圧ＰＣＵＴに達すると、充填を終了できる。上述の実施形態においては、既にカットオフ圧ＰＣＵＴにある充填物供給部５内の充填物を供給することにより、所定のカットオフ圧ＰＣＵＴが達成される。よって、充填用容器１００の充填は、充填用容器１００の内部空間１１２の圧力と充填物供給部５内の圧力が平衡するまでの間のみ継続する。
【００５４】
よって、充填物圧の計測と供給の少なくとも一方は、カットオフ圧ＰＣＵＴとの組合せにより、充填工程が始まる前であっても、充填用容器に導入される充填物の体積を特定する。
【００５５】
充填用容器１００への充填物の正確な充填を可能にするために、上述の実施形態においては、気体ロックを充填パイプ２か充填物供給部５に導入する必要がある。気体ロックは、ほぼ満たされた容器１００と充填物供給部５の間で圧力が平衡した際に、残存気体が容器１００から充填物供給部５へ逆流することを防止するためのものである。そのような充填物供給部５への残存気体の逆流を許容すると、容器１００に充填物が充填され過ぎてしまう。したがって、容器１００からの残存気体の逆流は、さらに正確な充填結果を得るために防止されねばならない。
【００５６】
充填用容器１００の内部空間１１２の圧力と充填物供給部５の圧力の間で平衡状態が形成される平衡法によれば、始めは充填が素早くなされるものの、平衡状態が実際に形成される前には充填速度が下がり、平衡状態に達すると充填が止まる。
【００５７】
一変形例においては、上述のカットオフ圧ＰＣＵＴが、測定された充填用容器１００の初期圧ＰＩＮＩから再特定される。例えば、絶対圧１．４バールのカットオフ圧ＰＣＵＴは、絶対圧０．１バールの初期圧ＰＩＮＩに基づいて再特定される。しかしながら、この変形例の場合、充填物供給部５内の充填物は、非常に高い圧力（好ましくは絶対圧１．５バールから９バール）とされる。
【００５８】
充填物供給部５を通じて充填物が充填用容器に流入するとき、充填用容器１００の内部空間１１２の圧力変化が、圧力計４によってモニタされる。そして、所定のカットオフ圧ＰＣＵＴ（上記の例においては１．４バール）に達すると、充填バルブ５０が閉じられうる。充填バルブ５０は、充填済みの容器１００内の圧力に対して高い圧力が充填物供給部５内に残っている間に閉じられる。充填物供給部５内の充填物を所定のカットオフ圧ＰＣＵＴよりも高い圧力で供給することにより、容器１００の充填が素早くあるいは突発的に行なわれ、充填工程が迅速に完了されうる。
【００５９】
したがって、充填物は、充填バルブ５０が閉じられるまで充填用容器１００内の圧力に対して正圧である。これにより、充填物の流入を迅速にできる。さらに、圧力差とこれに伴う容器１００への充填物の流入により、容器１００からの充填物供給部５への残存気体の逆流が防止されうる。よって、カットオフ圧ＰＣＵＴの特定に基づく圧力比に依存する容器１００の充填が遂行されうる。これにより、所定の充填量が正確に達成されうる。また、一定の圧力差と容器１００にのみ向かう充填物の流れによって残存気体の逆流が防止されるため、上述の気体ロックを省略できる。
【００６０】
図３は、本方法の次工程を示している。充填用容器１００を充填物で充填する装置１は、加圧ガス装置６を介して充填バルブ２に接続されている。加圧ガス装置６は、加圧ガスバルブ６０を備えている。加圧ガスバルブ６０は、残存充填物を充填パイプ２から押し出し、発泡した充填物を充填用容器１００の内部空間１１２へ押し入れるためのものである。この手法により、主に泡の形態で充填パイプ２内に残っている充填物を排除できる。さらに、ヘッドスペースＨに充填物の泡がない状態のままになるように、充填物が充填用容器１００の内部空間に導入されうる。
【００６１】
図４に充填工程中の各種パラメータの相互関係が模式的に示されている。ｘ軸は時間ｔを示し、ｙ軸は流量Ｖを示している。よって、符号Ｖが付された曲線は、容器１００に流入する充填物の流量の時間変化を表している。
【００６２】
図４のグラフは、符号Ｐが付された第二の曲線も示している。これは、充填パイプ２の内圧Ｐの時間変化を表しており、容器の内部空間１１２の圧力変化も表している。圧力Ｐの曲線と流量Ｖの曲線は相関しており、任意の時点での容器１００への流量Ｖは、当該時点における容器１００内の圧力Ｐに対応している。
【００６３】
充填工程の開始時（図４において「負圧」と記された第一フェーズ）において、流量Ｖは非常に高い。正圧とされた充填物が充填用容器１００に導入されると、特に充填用容器内で依然として負圧とされている領域において、充填が突発的に行なわれる。この圧力差の結果として、流量が非常に高くなる。
【００６４】
この手法においては、大気圧（すなわち絶対圧１バール）に達すると同時に、容器へ導入済みの充填物の量を簡単に計算できる。充填用容器の初期圧ＰＩＮＩは、充填バルブが開かれる前に計測されるので、大気圧に達する時点までに容器に導入された流体の量を、初期圧と容器内に残っている気体の圧力の差から計算できる。
【００６５】
流量Ｖを示す曲線と常圧（１バール）を示す軸との交点から、図４に「正圧」と記された領域における容器１００の充填工程が始まる。当該領域においては、容器１００内の圧力Ｐが常圧（１バール）を上回る。前述のように、容器１００の内圧に対して充填物供給部５が正圧とされることが好ましい。あるいは、容器１００の内圧に対して正圧とされた充填物を充填物供給部５が供給することが好ましい。充填パイプの把持蓋２０に印加される当該正圧は、充填物供給部５内の充填物の実際の圧力と静水圧の組合せである。静水圧は、充填用容器１００を充填する装置１の構成により定まる。
【００６６】
充填用容器１００に充填される充填物の全量は、流量Ｖを示す曲線の下面積（すなわち充填工程の開始から終了までの期間における流量Ｖの積分値）に対応する。この全量は、符号Ｉが付された第一充填量と符号IIが付された第二充填量に分割される。前者においては、充填用容器１００の内圧が常圧以下である。後者においては、容器１００の内圧が常圧を上回る。
【００６７】
正圧とされた充填物は、所望量の充填物が容器１００に導入されるまで、容器１００内に残っている残存気体を常圧から圧縮する。所定のカットオフ圧ＰＣＵＴすなわち充填工程の終了に至ると、充填バルブ５０が閉じられる。
【００６８】
充填工程の終了への至り方は二通りある。
【００６９】
第一の場合においては、充填パイプを介して供給される充填物が、カットオフ圧ＰＣＵＴとされた状態で供給される。この場合、容器１００と充填物供給部５の圧力の間に平衡が形成されるまで充填が継続する。ここで、実際に容器へ導入される充填物の量は、充填用容器１００内の初期圧ＰＩＮＩに大きく左右される。平衡圧に達すると、充填バルブ５０が閉じられうる。しかしながら、充填バルブ５０が閉じられるタイミングは厳密ではなく、平衡到達後の任意の時点でありうる。平衡圧に達した後では、容器１００内の充填量はもはや変化しないからである。
【００７０】
あるいは、第二の場合として、充填物供給部内の圧力は、所定のカットオフ圧ＰＣＵＴよりも高くされる。この場合、初期圧ＰＩＮＩが圧力計４によって特定されるだけでなく、充填工程中に充填用容器１００内の圧力変化が測定される。所定のカットオフ圧ＰＣＵＴに達すると、充填バルブ５０が閉じられる。ここで、容器１００の内圧は、圧力計４によってモニタされる。これにより、カットオフ圧ＰＣＵＴが確実に特定され、正確な充填が遂行されうる。
【００７１】
さらに別の実施形態においては、容器１００内における初期圧ＰＩＮＩからの圧力変化が充填工程中に分析されうる。そして、例えば圧力変化が所定の増加率あるいは所定の微分値ｄＰ／ｄｔ未満である場合、充填バルブ５０が閉じられうる。
【００７２】
容器１００内の初期圧ＰＩＮＩとこれに伴うカットオフ圧ＰＣＵＴ（あるいはカットオフ増加率または微分値）は、各充填工程および各充填エレメントについて個別に特定されうることが非常に好ましい。圧力計４が真空装置の中央に配置される場合、初期圧ＰＩＮＩは、全ての充填エレメントについて、あるいは充填カルーセルにおける複数の充填エレメント群について一括して特定されうる。または、すべての充填工程について同一の初期圧ＰＩＮＩが設定されうる。
【００７３】
発明の範囲から逸脱することなく可能の範囲内において、各実施形態例について記載された各特徴は、組合せと交換の少なくとも一方が可能である。
【符号の説明】
【００７４】
１：充填用容器を充填する装置、１００：充填用容器、１１０：口、１１２：容器の内部空間、２：充填パイプ、２０：把持蓋、３：真空ライン、３０：真空バルブ、４：圧力計、５：充填物供給部、５０：充填バルブ、６：加圧ガス装置、６０：加圧ガスバルブ、Ｈ：ヘッドスペース、ＰＩＮＩ：初期圧、ＰＣＵＴ：カットオフ圧
【図１】
2015199545.tif 000003
【図２】
2015199545.tif 000004
【図３】
2015199545.tif 000005
【図４】
2015199545.tif 000006
【外国語明細書】
2015199545000001.pdf